(57)【特許請求の範囲】
【請求項１】
シート状の壁装材を本体部の後方から引き入れて前方から引き出す間に、該壁装材の裏面に糊を塗布する壁紙糊付機において、
糊付機本体部へ搬送される前記壁装材の側縁部を裁断する裁断手段を、糊付機本体部に対して着脱可能に備え、
前記裁断手段は、片刃の回転刃と、その回転刃を駆動させる回転手段とを有しており、前記搬送される壁装材の下側に位置し、壁装材を裏面側から押し上げるように刃先を押しつけた状態で壁装材搬送方向と一致した回転方向に駆動させて壁装材を切断することを特徴とする壁紙糊付機。
【請求項２】
シート状の壁装材を本体部の後方から引き入れて前方から引き出す間に該壁装材の裏面に糊を塗布する壁紙糊付機の本体部に、着脱可能に取付けられ、糊付機本体へ搬送される前記壁装材の側縁部を裁断する壁紙裁断装置において、
前記搬送される壁装材の下側に位置し、壁装材を裏面側から押し上げるように刃先を当接させた状態で壁装材を切断する片刃の回転刃と、該回転刃を壁装材搬送方向と一致した回転方向に駆動させる回転手段とを備え、たことを特徴とする壁紙裁断装置。
【請求項３】
前記回転手段は、前記回転刃を壁装材の搬送速度より早い回転速度で回転させるものであり、その回転数が２０００〜５０００ｒｐｍの範囲内に設定されることを特徴とする請求項２に記載の壁装材裁断装置。
【発明の詳細な説明】
【０００１】
【発明の属する技術分野】
本発明は、例えば屋内の壁面にシート状壁装材を貼り付ける際に長尺の壁装材の裏面に糊を連続的に塗布する壁紙糊付機の本体部に対して、壁装材の縁部を切断して所定幅に調整してから供給するための裁断手段を備えた壁紙糊付機あるいは壁紙糊付機に着脱可能に取付けられる壁紙裁断装置に関するものである。
【０００２】
【従来の技術】
従来から、壁紙糊付機においては、後方から引き入れられて前方から引き出される間に長尺のシート状壁装材の裏面へ糊の塗布を行なう壁紙糊付機の本体部に、フック等で壁紙裁断装置を取付けて、壁装材の側縁部をその搬送方向に沿って剪断し、所望の壁装材幅に調整していた。
【０００３】
従来の一般的な壁紙糊付機用の壁紙裁断装置は、壁装材の搬送方向に対して直交方向に沿って平行に設けられた上下シャフトの対向位置に、上下一対の回転刃を構成するオーバーカッター（上刃）とアンダーカッター（下刃）とがそれぞれ軸止されており、この一対のカッターが壁装材を上下から挟んで剪断していた。
【０００４】
通常、上下回転刃は、各シャフトがギアを介して連動され、互いに逆向きに回転するよう設定されていると共に、これら上下回転刃を回転駆動させるための動力伝達ギアに、糊付機本体の駆動が伝達され、糊付機側の壁紙搬送駆動と上下回転刃の回転駆動とが連動されている。
【０００５】
【発明が解決しようとする課題】
しかしながら、上記のように、上下一対のカッターで壁装材を上下から挟んで剪断する従来の方法では、例えばジュラク壁紙のように硬質無機材がちりばめられた壁装材を裁断する場合に、刃に圧縮力が作用して裁断を困難とするだけでなく、刃を痛めやすいという問題があった。
【０００６】
本発明の目的は、上記問題点に鑑み、いかなる種類の壁装材に対しても容易に効率よく裁断できる裁断手段を備えた壁紙糊付機または壁紙裁断装置を提供することにある。
【０００７】
【課題を解決するための手段】
上述の目的を達成するため、請求項１に記載の発明に係る壁紙糊付機は、シート状の壁装材を本体部の後方から引き入れて前方から引き出す間に、該壁装材の裏面に糊を塗布する壁紙糊付機において、
糊付機本体部へ搬送される前記壁装材の側縁部を裁断する裁断手段を、糊付機本体部に対して着脱可能に備え、
前記裁断手段は、片刃の回転刃と、その回転刃を駆動させる回転手段とを有しており、前記搬送される壁装材の下側に位置し、壁装材を裏面側から押し上げるように刃先を押しつけた状態で壁装材搬送方向と一致した回転方向に駆動させて壁装材を切断するものである。
【０００９】
また、請求項２に記載の発明に係る壁紙裁断装置は、シート状の壁装材を本体部の後方から引き入れて前方から引き出す間に該壁装材の裏面に糊を塗布する壁紙糊付機の本体部に、着脱可能に取付けられ、糊付機本体へ搬送される前記壁装材の側縁部を裁断する壁紙裁断装置において、前記搬送される壁装材の下側に位置し、壁装材を裏面側から押し上げるように刃先を当接させた状態で壁装材を切断する片刃の回転刃と、該回転刃を壁装材搬送方向と一致した回転方向に駆動させる回転手段とを備えたものである。
【００１０】
請求項１に記載の発明による壁紙糊付機においては、裁断手段の回転刃を壁装材に片側から押しつけて切断するものである。この回転刃は回転手段によって糊付機本体とは独立して回転駆動させることができる。この場合、片刃の回転刃を壁装材の搬送速度よりも高速に回転させることによって壁装材も容易に切断することができる。ここで、本発明では、片刃の回転刃を使用するので、従来のように上下回転刃で挟んで剪断する場合のような回転刃への負担を生じることがない。
【００１１】
例えば、１００〜１００００ｒｐｍという高速回転数で裁断を行うと、回転刃の蛇行も防げて直線的できれいな壁装材の切断端面が得られる。特に、現在一般的に行われている糊付機の壁装材搬送速度、約１３ｍ／分では、刃回転方向が壁装材搬送方向と同一で２０００〜５０００ｒｐｍ程度の範囲内の回転数がより好ましい。あまり速すぎると、壁装材の表層に塩化ビニールが使われている場合、摩擦熱で溶けやすく、溶けた塩化ビニールが刃に付着してそのメンテナンスが困難と成ってしまう。
【００１２】
また、遅すぎると、壁装材の搬送スピードに負けて裁断されないままに壁装材が搬送されてしまう。そこで、壁装材に対して裁断可能な下限回転数を求め、それ以上の回転数を設定する必要があるが、以下にその一例を図３を用いて説明する。まず、前述のように回転刃による壁装材の切断速度ｖｙ  は、壁装材の搬送速度ｖｘ  より速くなければならない（ｖｙ＞ｖｘ）。
【００１３】
この切断速度ｖｙ  は、ｖｘ  ＝２πｒ×Ｎ×（ｒ−ｄ）／ｒで求められる。従って、回転刃の回転数Ｎは、Ｎ＝ｖｙ  ／２π（ｒ−ｄ）であり、Ｎ＞ｖｘ  ／２π（ｒ−ｄ）となる。そこで、ｖｙ  ＝１３０００ｍｍ／分，回転刃の半径ｒ＝２２．５ｍｍ，回転刃の頭頂部から壁装材表面までの距離ｄ＝５ｍｍである場合、回転数Ｎ＞１１８ｒｐｍとなる。即ち、直径４５ｍｍの回転刃で上記条件での壁装材搬送の場合、回転刃の回転数を少なくとも１１８ｒｐｍ以上とすれば、壁装材の搬送スピードに負けることなく壁装材の裁断を行える。このような設定回転数の下限は回転刃の直径は壁装材の搬送速度等によって異なるので、適宜、諸条件に応じて適宜確認すればよい。
【００１４】
なお、回転刃の駆動手段としては、回転刃の支軸に小型モータの出力回転軸を連結する構成が簡便なものとして挙げられる。あるいは、糊付機が電動モータで駆動する場合には、その動力を使用することができる。刃の回転方向は、壁装材搬の搬送方向に対して逆向きでも良いが、この場合、壁装材の抵抗摩擦が大きいと比較的低速の回転では真っ直ぐな裁断を維持することが難しくなる。特に、手動糊付機の場合、搬送速度が常に一定とは限らない場合には蛇行が生じやすくなるため、壁装材の搬送方向と刃の回転方向とを一致させることが好ましい。
【００１５】
また、このような裁断手段は、糊付機本体部に一体に設けられる構成としても、本体部に対して着脱可能に取付ける構成としても良い。いずれにしても、回転刃は、従来と同様に幅調整手段により壁装材の幅方向（搬送方向に対する直交方向）において位置調整可能とし、壁装材が所望の幅となるように任意の位置で側縁部を切断できるようにすることが好ましい。さらに、裁断手段には、切断された壁装材耳部を、糊付機本体部内へ引き入れられる壁装材本体とは別経路へ導出する誘導板を設けることが好ましい。
【００１６】
また、請求項２に記載の発明による壁紙裁断装置は、壁装材に片側から所定の押しつけ力で刃先を当接された状態で壁装材を切断する片刃の回転刃と、該回転刃を駆動させる回転手段とを備えたものである。壁紙糊付機へ供給する壁装材の側縁部を切断して幅調整を行う必要があるときは、糊付機本体部へ裁断装置を取付け、回転手段によって回転刃を高速回転させることによって、糊付機本体部へ搬送される壁装材がいかなるものであっても、容易に切断することができる。壁装材の切断が必要ない場合や、装置の運搬時には、裁断装置を取り外せば扱いが簡便である。
【００１７】
なお、壁装材を片側で当接する回転刃で良好に切断するには、回転刃が適度な力で壁装材に押しつけられている状態となることが必要である一方、壁装材側が適度な張力で搬送されている必要がある。そこで、回転刃が壁装材の下側（裏面側）に位置し、壁装材を押し上げる状態であれば、壁装材の糊付本体部からの引張りと自重とで、切断可能な張力は得られる。しかし、回転刃の回転速度によってはより高い張力が望ましい場合には、裁断装置にも、壁装材に適当な張力を与えるピンチロールを設ければ良い。さらに、このピンチロールによる壁装材の挟み込み圧を変更可能にして所望の張力に変更できる構成としても良い。
【００１８】
なお、例えば塩化ビニール製の壁装材では、刃の回転摩擦熱で比較的溶けやすく、切断部が平滑にならず荒れてしまう場合がある。このような切断荒れは主に回転刃の当接側に現れるため、表面側から切断するとその荒れた部分が後の壁紙を壁面に張り付けた際に露出して目立ってしまうことから、壁装材の裏面から、即ち下側から裁断することがより好ましい。
【００１９】
また、回転刃の回転速度が速いほど壁装材は切断しやすくなるため、対象となる壁装材の厚みや硬度に応じて回転速度を速くするなど、回転手段による回転刃の回転を任意の速度に変更できる速度調節機構を設けることが望ましい。
【００２０】
なお、本発明における裁断手段、および壁紙裁断装置が取付けられる壁紙糊付機は、いわゆる手動のものでも電動モータなどの駆動力を利用する自動のものでも良い。
【００２１】
【発明の実施の形態】
以下に、本発明の一実施の形態による壁紙裁断装置の概略構成を図１，２に示す。図１は、本実施形態の裁断装置の側面透視図であり、図２は、本実施形態の裁断装置を壁紙糊付機本体部に取付けた状態を示す側面透視図である。
【００２２】
本裁断装置１には、本体フレーム２の背面の糊付機本体２０取り付け状態でクロス１１の幅方向（搬送方向に対して直交する方向）と平行に延在するオーバーステー３にセットボルト４で固定される取り付けボス５を介して小型モータＭが備え付けられている。
【００２３】
この小型モータＭは、本体フレーム２の内部で薄円盤状の回転刃７を保持している。即ち、小型モータＭの前記幅方向と平行な回転出力軸６に回転刃７の支軸が同軸で固定されており、このため、小型モータＭの駆動によりその回転運動が出力軸６を介して回転刃７へ伝達され、所定回転速度で回転刃７が回転駆動される。なお、本実施形態においては、直径４５ｍｍ、刃先を除く中央領域の厚さが０．３ｍｍの回転刃７を用いた。
【００２４】
この回転刃７の位置決めは、本体フレーム２内を搬送されるクロス１１の搬送経路であるアンダーステー上の接点から糊付機本体２０への引き入れ部を結ぶ直線より上方（図３の距離ｄに相当する）位置に回転刃の頭頂部（刃先）が来るように設定されている。これは、本体フレーム２内を搬送されるクロス１１に対して回転刃７が下側（裏面側）から押し上げる力が作用する位置とするためである。この位置に設けることで、この押し付け力と回転刃７の高速回転によって回転刃７上を摺動するクロス１１が切断されながら糊付機本体部２０へ搬送される。
【００２５】
また、小型モータＭをオーバーステー３に固定する取り付けボス５は、セットボルト４を弛めた状態において、オーバーステー３に沿って前記幅方向へスライド可能であるため、前記幅方向の任意の位置で小型モータＭを固定することができる。本実施形態では、これらが幅調整手段を構成しており、クロス１１の所望の裁断幅に応じた裁断位置に回転刃７が来るように小型モータＭを位置決めすることができる。
【００２６】
なお、本実施形態では、小型モータＭのフレームに誘導板８を設け、回転刃７により切断された壁装材耳部１２を、糊付機本体内２０へ引き入れられる壁装材本体とは別経路へ導出する構成とした。
【００２７】
以上の如き構成の裁断装置１は、前面側の設けられた係止部９が糊付機本体部２０の背面上部に掛止されることによって取付けられる。ここで示した糊付機本体２０は、従来のものと同様の基本構成を持つ手動壁紙糊付機である。この糊付機本体２０は、上部構体２１と内部に糊桶２３を備えた下部構体２２とで構成され、この上下部構体（２１，２２）内に複数のロールが互いにギアを介して配列されているものである。
【００２８】
主なロールとして、上部構体２１内に、糊付機本体部２０内に後部側から取り込まれたクロス１１に糊付機本体部２０の前部方向への送り出し張力を付与するための押さえステー２４と、クロス１１を上から押さえて追従回転するドライブロール２５とが互いに所定間隔で平行に配列されるように、それぞれ上部構体２１の側板に軸支されている。
【００２９】
また、下部構体２２内には、糊桶２３内に収容されている糊を下方で糊上げし、その上方で搬送されてくるクロス１１の裏面に塗布する糊付ロール２６と、糊付けロール２６に接して糊量を調節するドクターロール２７と、前記ドライブロール２５と共にクロス１１に適度な張力を与えて前部方向へ送り出す均しロール２８とが、互いに所定間隔を持って平行に配列されるように、下部構体２３の側板に軸支されている。
【００３０】
上記裁断装置１によって側縁部を裁断して所定幅に調整されたクロス１１の糊付を行う際には、まず、前記の如く係止部９を糊付機本体部２０に掛止した状態で、セットボルト４を弛め、モータＭと共に回転刃７をオーバーステー３に沿って移動させ、所定の壁紙裁断幅となるように位置決めした後セットボルトを締めて固定する。
【００３１】
回転刃７の位置固定後、糊付機脚部３０から後方へ伸びているクロス受けブラケット３１に軸支されているクロス原反１０からクロス１１先端を引き出し、壁紙裁断装置１の背面側から、オーバーステー３とアンダーステーとの間からアンダーステーの上面に沿わせて装置内部へ引き込み、回転刃７上方を通過させて装置前方から引き出す。
【００３２】
裁断装置１の前方から引出されたクロス１１の先端を、上部構体２１を開けた状態で糊付機本体部２０の前方から垂らすように下部構体２３上に載置した後、上部構体２１を閉めて所定ロール間に挟み込んだ初期設定状態を得る。
【００３３】
初期設定終了後、糊付機の駆動源モータ（不図示）の駆動を開始すると共に、裁断装置１のモータＭの駆動を開始する。これによって、クロス１１の裁断装置１内の通過に伴う回転刃７の高速回転による側縁部の切断と、該切断による幅調整後のクロス１１の糊付機本体部２０内での糊付が連続的に行われる。
【００３４】
このとき、回転刃７のモータＭによる回転駆動を、糊付機本体部２０内の主に糊付ロール２６による送り出し速度で決定されるクロス１１の搬送速度より高速の回転に設定することによって、クロス１１が比較的厚く、また例えばジュラク壁紙のように比較的硬質の材質からなるものであっても、容易にクロス１１の裁断が行われる。この場合、従来の上下刃の挟み込み部分での摩耗等の問題が生じないので、片刃は両刃より格段に負担が少ない。
【００３５】
本実施形態においては、クロス１１の搬送速度を約１３ｍ／分とし、モータＭの駆動による回転刃７の回転数をクロス搬送方向と同一方向で２０００〜５０００ｒｐｍの範囲内に設定した。この結果、ほとんど蛇行のない直線的で滑らかな切口でスムーズにクロス１１の裁断が行えた。
【００３６】
なお、裁断装置１は、クロス１１の幅方向において、一方の側縁部を切断するための回転刃を一つ備えた構成としても、クロス１１の両側縁部を切断するために、クロス幅方向で対面する二つの回転刃を両端部に備える構成としても良い。
【００３７】
また、上記実施の形態では、壁紙糊付機に別体の裁断装置１を取付ける場合を示したが、回転刃を糊付機に一体的に備え付ける構成としても良い。この場合、回転刃を回転させる駆動手段（上記実施形態におけるモータＭ）は、糊付機側の駆動とは独立して回転刃を速度変更可能に回転させるものとする。
【００３８】
また、上記実施形態では、裁断装置１を手動糊付機に取付けた場合を示したが、自動糊付機に取付け可能であることは言うまでもない。
【００３９】
【発明の効果】
以上説明したとおり、本発明の裁断手段または裁断装置によれば、従来は両刃の間への挟み込みにより刃を痛め、裁断が困難であった壁装材であっても、容易に且つ直線的に裁断することができるという効果がある。さらに、両刃のものに比べ、挟み込みによる摩耗が少ないので刃の寿命が延びるため、正確な裁断を長期に連続して刃の交換なしに行える。
【図面の簡単な説明】
【図１】本発明の一実施の形態としての壁紙裁断装置の概略構成を示す側面透視図である。
【図２】図１の裁断装置を手動壁紙糊付機に取付けた状態を示す側面透視図である。
【図３】本発明の壁紙裁断手段における回転刃の回転数を設定するための下限値を求める場合の一例を示す説明図である。
【符号の説明】
１：壁紙裁断装置
２：本体フレーム
３：オーバーステー
４：セットボルト
５：取り付けボス
Ｍ：小型モータ
６：回転出力軸
７：回転刃
８：誘導板
９：係止部
１０：クロス原反
１１：クロス
１２：切断耳
２０：糊付機本体部
２１：上部構体
２２：下部構体
２３：糊桶
２４：押さえステー
２５：ドライブロール
２６：糊付ロール
２７：ドクターロール
２８：均しロール
３０：糊付機脚部
３１：クロス受けブラケット
【図１】
0004326052.tif 000002
【図２】
0004326052.tif 000003
【図３】
0004326052.tif 000004